(57)【要約】【課題】光ファイバー調整改良構造の提供。【解決手段】本考案の光ファイバー調整改良構造は、内部にレーザーランプ管を設置する本体、調光素子、延長コネクタ、及び、光ファイバー導針からなり、後ろから前に排列接続される。調光素子は、ベース、駆動棒、扇片、及び、ボタン等の素子からなり、光の強弱を調整したい時、ボタンを旋転し、渦旋凹槽で駆動棒の先端を牽動してゆっくり旋転させ、同時に、扇片を帯動してベースの貫通孔を遮蔽し、これにより、出力光の調整が便利である。コネクタの導光ヘッドはほぞを設け、ほぞがベースのノッチ上に対応し、導光ヘッドがベースの貫通孔中に定位される。また、前接合素子内周壁に双螺紋を環設する。この他、光ファイバー導針の座体外周は牙部を有し、牙部をコネクタの前接合素子の双螺紋上に装着して、結合が容易になる。【選択図】    図３
0003125278.tif 000002
【実用新案登録請求の範囲】
【請求項１】
光ファイバー調整改良構造であって、内部にレーザーランプ管を設置する本体、調光素子、延長コネクタ、及び、光ファイバー導針からなり、後ろから前に排列接続され、レーザーランプ管が生成するHeNeレーザー光は前記光ファイバー導針末端に導かれ、その特徴は、
前記調光素子は、ベース、駆動棒、扇片、及び、ボタン等の素子からなり、
前記ベース一側に穿孔を開設し、中部に貫通孔を有する中管を伸設し、前記中管の外周に螺紋を有し、管縁にノッチを有し、
前記駆動棒の螺紋段は前記ベースの穿孔を通過し、先端は前記ボタンの渦旋凹槽中に枢挿され、
前記扇片は、前記ベース内部の前記駆動棒上に装着され、外周縁は傾斜状を呈し、前記ベース中央貫通孔を遮蔽し、
前記ボタン板面は前記渦旋凹槽を環設し、その中部に透孔を有する柄を有し、前記透孔を前記ベースの中管上に挿置して、且つ、前記駆動棒の先端を前記渦旋凹槽中に挿入し、
前記コネクタの後螺合素子中央に導光ヘッドを伸設し、前記導光ヘッドの底部はほぞを設け、前記ほぞが前記ベースのノッチ上に挿接され、前記導光ヘッドがベースの貫通孔中に定位し、前記前接合素子中央に、導光ヘッドを伸設し、内周壁に双螺紋を環設し、
前記光ファイバー導針一端は中空の座体で、座体外周に牙部を突設し、前記牙部を前記コネクタの前接合素子の双螺紋上に装着し、もう一端は、微細光ファイバー針で、
上述のような構造により、光の強弱を調整したい時、前記ボタンを旋転し、前記渦旋凹槽で前記駆動棒の先端を牽動してゆっくり旋転させ、同時に、前記扇片を帯動して前記ベースの貫通孔を遮蔽し、出力光の強弱の制御が達成できることを特徴とする改良構造。
【考案の詳細な説明】
【技術分野】
【０００１】
本考案は光ファイバー調整改良構造に関し、詳細には、迅速に装着でき、調光が便利なHeNeレーザー光ファイバー調整改良構造に関する。
【背景技術】
【０００２】
公知のHeNeレーザー光ファイバー調整改良構造は、図１で示されるように、ベース（１１）の頂面に数片の隔壁（１２）を列設し、隔壁（１２）中部に通孔（１３）を開設し、埋頭ねじ（１４）により、通孔（１３）でレーザーランプ管（１５）を固設する。前板（１６）中部に穿孔（１７）を開設し、側向きにねじ（１８）を枢設し、ねじ（１８）を螺入、或いは、旋出して、穿孔（１７）の大小を調整し、出力光の強弱を調節する。光源の調整時、ドライバによりねじ（１８）を転動させなければならず、不便で面倒である。
【考案の開示】
【考案が解決しようとする課題】
【０００３】
本考案の目的は、光ファイバー調整改良構造を提供し、HeNeレーザー光の強弱を設定する時、ボタンをひねるだけで、渦旋凹槽により駆動バーの先端を推動してシフトし、同時に、扇片を旋動してベースの貫通孔を遮蔽し、これにより、出力光の強弱の調整を便利にすることにある。
【０００４】
本考案の次の目的は、光ファイバー調整改良構造を提供し、光ファイバー導針の座体外周に牙部を突設し、牙部をコネクタの前の双螺紋上に組装し、結合を更に迅速にすることである。
【課題を解決するための手段】
【０００５】
本考案の光ファイバー調整改良構造は、内部にレーザーランプ管を設置する本体（２０）、調光素子（３０）、延長コネクタ（４０）、及び、光ファイバー導針（５０）からなり、後ろから前に排列接続され、レーザーランプ管が生成するHeNeレーザー光は光ファイバー導針（５０）末端に導かれて人体の血液中に照入する。
【考案の効果】
【０００６】
光源の調整時、ドライバによりねじを転動させなければならず、不便で面倒である公知技術の欠点を改善し、本考案の光ファイバー調整改良構造は、HeNeレーザー光の強弱を設定する時、ボタンをひねるだけで、渦旋凹槽により駆動バーの先端を推動してシフトし、同時に、扇片を旋動してベースの貫通孔を遮蔽し、これにより、出力光の強弱の調整を便利にする。
【考案を実施するための最良の形態】
【０００７】
図２は本考案の光ファイバー調整改良構造を示す図で、内部にレーザーランプ管を設置する本体（２０）、調光素子（３０）、延長コネクタ（４０）、及び、光ファイバー導針（５０）からなり、後ろから前に排列接続され、レーザーランプ管が生成するHeNeレーザー光は光ファイバー導針（５０）末端に導かれて人体の血液中に照入する。
【０００８】
図３〜図５を参照すると、調光素子（３０）は、ベース（３１）、駆動棒（３２）、扇片（３３）、及び、ボタン（３４）等の素子からなる。
【０００９】
ベース（３１）一側に穿孔（３１１）を開設し、駆動棒（３２）を扇片（３３）に組装し、中部に貫通孔（３１２）を有する中管（３１３）を伸設し、中管（３１３）の外周に螺紋（３１４）を有し、コネクタ（４０）の後螺合素子（４２）と相互鎖接する。管縁にノッチ（３１５）を有する。
【００１０】
駆動棒（３２）は屈折した形状で、螺紋段（３２１）はベース（３１）の穿孔（３１１）を通過し、その後、O型リング（３２２）とナット（３２３）により扇片（３３）を鎖定し、先端（３２４）はボタン（３４）の渦旋凹槽（３４１）中に枢挿される。
【００１１】
前記扇片（３３）は扇形の板で、ベース（３１）内部の駆動棒（３２）上に装着され、外周縁（３３１）は傾斜状を呈し、ベース（３１）の中央貫通孔（３１２）を遮蔽する。
【００１２】
ボタン（３４）板面は渦旋凹槽（３４１）を環設し、その中部に透孔（３４２）を有する柄（３４３）を有し、透孔（３４２）をベース（３１）の中管（３１３）上に挿置して、且つ、駆動棒（３２）の先端（３２４）を渦旋凹槽（３４１）中に挿入する。
【００１３】
図６、図７で示されるように、本構造で、HeNeレーザー光の強弱を調整したい時、ボタン（３４）を旋転し、渦旋凹槽（３４１）で駆動棒（３２）の先端（３２４）を牽動してゆっくり旋転させ、同時に、扇片（３３）を帯動してベース（３１）の貫通孔（３１２）を遮蔽し、出力光の強弱の制御が達成できる。
【００１４】
図３と図８で示されるように、本考案のコネクタ（４０）は中部の光ファイバー導線（４１）により後螺合素子（４２）と前接合素子（４３）に区分される。後螺合素子（４２）中央は導光ヘッド（４２１）を伸設し、導光ヘッド（４２１）底部周壁はほぞ（４２２）を設け、ほぞ（４２２）がベース（３１）のノッチ（３１５）上に挿接され、導光ヘッド（４２１）がベース（３１）の貫通孔（３１２）中に定位する。前接合素子（４３）中央に、導光ヘッド（４３１）を伸設し、内周壁に双螺紋（４３２）を環設する。
【００１５】
光ファイバー導針（５０）一端は中空の座体（５１）で、座体（５１）外周に牙部（５２）を突設し、牙部（５２）をコネクタ（４０）の前接合素子（４３）の双螺紋（４３２）上に装着し、これにより、結合が迅速で、もう一端は、微細光ファイバー針（５３）を固挿し、光ファイバー針（５３）が挿入留置される。
【図面の簡単な説明】
【００１６】
【図１】公知の立体組み合わせ図である。
【図２】本考案の立体組み合わせ図である。
【図３】本考案の立体組み合わせ局部断面図である。
【図４】本考案の調光素子立体分解図である。
【図５】本考案の調光素子の別の視角の立体分解図である。
【図６】本考案の調光素子の平面図である。
【図７】本考案の調光素子の調整を示す図である。
【図８】本考案のコネクタと光ファイバー導針素子を示す図である。
【符号の説明】
【００１７】
２０  本体
３０  調光素子
３１  ベース
３１１  穿孔
３１２  貫通孔
３１３  中管
３１４  螺紋
３１５  ノッチ
３２  駆動バー
３２１  螺紋段
３２２  O型リング
３２３  ナット
３２４  先端
３３  扇片
３３１  外周縁
３４  ボタン
３４１  渦旋凹槽
３４２  透孔
３４２  柄
４０  コネクタ
３１  光ファイバー導線
４２  後螺合素子
４２１  導光ヘッド
４２２  ほぞ
４３  前接合素子
４３１  導光ヘッド
４３２  双螺紋
５０  光ファイバー導針
５１  座体
５２  牙部
５３  光ファイバー針
【図１】
0003125278.tif 000003
【図２】
0003125278.tif 000004
【図３】
0003125278.tif 000005
【図４】
0003125278.tif 000006
【図５】
0003125278.tif 000007
【図６】
0003125278.tif 000008
【図７】
0003125278.tif 000009
【図８】
0003125278.tif 000010